(57)【要約】【課題】部品点数を少なくしてコストダウンが図れ、且つ小型化が図れる電子部品用ソケットを得る。【解決手段】ソケットハウジング２は電子部品５を開口部６ａから差し込める部品差し込み室６を有する有底箱状をなしている。コンタクト３は部品差し込み室６の内壁に沿って下降して部品差し込み室６内の底部側で傾斜して部品差し込み室６内に立ち上がって電子部品５の端子面４に弾性的に接触する接触端子部７と、部品差し込み室６の内壁に沿って下降する部分に設けられて部品差し込み室６内に斜め下向きに張り出して電子部品５の表面を押さえるラッチ部８とを備えている。【選択図】図１
2007115506.tif 000002
【特許請求の範囲】
【請求項１】
ソケットハウジングとコンタクトとを備えて、下面に端子面を備えた電子部品を差し込み接続する電子部品用ソケットであって、
前記ソケットハウジングは前記電子部品を開口部から差し込める部品差し込み室を有する有底箱状をなしており、
前記コンタクトは前記部品差し込み室の内壁に沿って下降して該部品差し込み室内の底部側で傾斜して前記部品差し込み室内に立ち上がって前記電子部品の前記端子面に弾性的に接触する接触端子部と、前記部品差し込み室の内壁に沿って下降する部分に設けられて該部品差し込み室内に斜め下向きに張り出して前記電子部品の表面を押さえるラッチ部とを備えていることを特徴とする電子部品用ソケット。
【請求項２】
前記コンタクトは前記ソケットハウジングの側壁に嵌まって該ソケットハウジングに係止される折り返し形コンタクト部材を備え、該折り返し形コンタクト部材は前記部品差し込み室の内壁に沿って下降する内側板部と、前記側壁の外壁に沿って下降する外側板部と、前記内側板部と前記外側板部との頂部を相互につなぐ折り返し部と、前記内側板部と前記外側板部との間に前記ソケットハウジングの前記側壁を嵌める側壁差し込み空間を有して構成され、前記内側板部の下部には前記部品差し込み室内の底部側で傾斜して前記部品差し込み室内に立ち上がって前記電子部品の前記端子面に弾性的に接触する接触端子部が設けられ、前記内側板部の上部側には前記部品差し込み室内に斜め下向きに張り出して前記電子部品の表面を押さえるラッチ部とを備えていることを特徴とする請求項１に記載の電子部品用ソケット。
【請求項３】
前記ラッチ部は前記内側板部の幅方向の両側に１対設けられ、これら１対の前記ラッチ部の中間の下部に前記接触端子部が設けられていることを特徴とする請求項２に記載の電子部品用ソケット。
【請求項４】
前記ラッチ部はその幅で前記折り返し形コンタクト部材を前記折り返し部から前記外側板部を含めて下向きに途中まで切断して形成され、前記側壁には前記ラッチ部の箇所が切り欠き部となっていることを特徴とする請求項２または３に記載の電子部品用ソケット。
【請求項５】
前記外側板部には係止窓が設けられ、前記側壁には前記係止窓に対応して係止突起が設けられていることを特徴とする請求項２乃至４のいずれか１項に記載の電子部品用ソケット。
【請求項６】
前記コンタクトは前記ソケットハウジングの前記側壁の周囲に距離を離して複数組み付けられていることを特徴とする請求項２乃至５のいずれか１項に記載の電子部品用ソケット。
【請求項７】
前記外側板部の下部には面実装端子部が設けられていることを特徴とする請求項２乃至６のいずれか１項に記載の電子部品用ソケット。
【発明の詳細な説明】
【技術分野】
【０００１】
本発明は、例えば、発光ダイオードモジュールの如き電子部品を半田を用いずに差し込み接続する電子部品用ソケットに関するものである。
【背景技術】
【０００２】
従来、ソケットを用いてプリント基板に実装する電子部品としては、例えば、カメラモジュールを差し込み接続するカメラモジュール用ソケットがあるが、この種の従来の電子部品用ソケットは、ソケットハウジングと、該ソケットハウジング内に電子部品を抜け止め保持させるラッチ部品と、電子部品の端子とプリント基板のパターンとを電気接続させるためのコンタクトとの３部品以上の部品で構成していた（例えば、特許文献１参照。）。
【特許文献１】特開２００５−１７６１８５号公報
【発明の開示】
【発明が解決しようとする課題】
【０００３】
しかしながら、このような構成の電子部品用ソケットでは、構成部品の点数が多くコストアップする問題点があった。また、ソケットハウジングにラッチ部品を設けていたので、外形が大型化する問題点があった。
【０００４】
本発明の目的は、部品点数を少なくしてコストダウンが図れ、且つ小型化が図れる電子部品用ソケットを提供することにある。
【０００５】
本発明の他の目的は、コンタクトを１枚の金属板から形成できる電子部品用ソケットを提供することにある。
【０００６】
本発明の他の目的は、電子部品をラッチ部で安定して押さえて電子部品の端子面を接触端子部に安定して接触させることができる電子部品用ソケットを提供することにある。
【０００７】
本発明の他の目的は、電子部品の挿入時にラッチ部を容易に逃がすことができる電子部品用ソケットを提供することにある。
【０００８】
本発明の他の目的は、コンタクトをソケットハウジングに確実に係止できる電子部品用ソケットを提供することにある。
【０００９】
本発明の他の目的は、電子部品の周壁をラッチ部で安定して押さえることができ、電子部品の複数の端子面に安定して接触端子部を接触させることができる電子部品用ソケットを提供することにある。
【００１０】
本発明の他の目的は、コンタクトを利用して面実装できる電子部品用ソケットを提供することにある。
【課題を解決するための手段】
【００１１】
上記の目的を達成する本発明の構成を説明すると、下記のとおりである。
【００１２】
本発明は、ソケットハウジングとコンタクトとを備えて、下面に端子面を備えた電子部品を差し込み接続する電子部品用ソケットを改良の対象とする。
【００１３】
本発明の電子部品用ソケットでは、
前記ソケットハウジングは前記電子部品を開口部から差し込める部品差し込み室を有する有底箱状をなしており、
前記コンタクトは前記部品差し込み室の内壁に沿って下降して該部品差し込み室内の底部側で傾斜して前記部品差し込み室内に立ち上がって前記電子部品の前記端子面に弾性的に接触する接触端子部と、前記部品差し込み室の内壁に沿って下降する部分に設けられて該部品差し込み室内に斜め下向きに張り出して前記電子部品の表面を押さえるラッチ部とを備えていることを特徴とする。
【００１４】
この場合、前記コンタクトは前記ソケットハウジングの側壁に嵌まって該ソケットハウジングに係止される折り返し形コンタクト部材を備え、該折り返し形コンタクト部材は前記部品差し込み室の内壁に沿って下降する内側板部と、前記側壁の外壁に沿って下降する外側板部と、前記内側板部と前記外側板部との頂部を相互につなぐ折り返し部と、前記内側板部と前記外側板部との間に前記ソケットハウジングの前記側壁を嵌める側壁差し込み空間を有して構成され、前記内側板部の下部には前記部品差し込み室内の底部側で傾斜して前記部品差し込み室内に立ち上がって前記電子部品の前記端子面に弾性的に接触する接触端子部が設けられ、前記内側板部の上部側には前記部品差し込み室内に斜め下向きに張り出して前記電子部品の表面を押さえるラッチ部とを備えていることを特徴とする。
【００１５】
また、前記ラッチ部は前記内側板部の幅方向の両側に１対設けられ、これら１対の前記ラッチ部の中間の下部に前記接触端子部が設けられていることが好ましい。
【００１６】
また、前記ラッチ部はその幅で前記折り返し形コンタクト部材を前記折り返し部から前記外側板部を含めて下向きに途中まで切断して形成され、前記側壁には前記ラッチ部の箇所が切り欠き部となっていることが好ましい。
【００１７】
また、前記外側板部には係止窓が設けられ、前記側壁には前記係止窓に対応して係止突起が設けられていることが好ましい。
【００１８】
また、前記コンタクトは前記ソケットハウジングの前記側壁の周囲に距離を離して複数組み付けられていることが好ましい。
【００１９】
さらに、前記外側板部の下部には面実装端子部が設けられていることが好ましい。
【発明の効果】
【００２０】
本発明の電子部品用ソケットは、ソケットハウジングとコンタクトとを備え、コンタクトがラッチ部を備えているので、部品点数が少なくなり、コストダウンが図れ、且つ小型化を図ることができる。特に、コンタクトはソケットハウジングの部品差し込み室の内壁に沿って下降して該部品差し込み室内の底部側で傾斜して部品差し込み室内に立ち上がって電子部品の端子面に弾性的に接触する接触端子部と、部品差し込み室の内壁に沿って下降する部分に設けられて該部品差し込み室内に斜め下向きに張り出して電子部品の表面を押さえるラッチ部とを備えているので、電子部品をソケットハウジングの部品差し込み室に差し込むと、電子部品の底部の端子面がコンタクトの接触端子部に接触し、電子部品の挿入時に逃げていたラッチ部が該電子部品の通過で張り出して該電子部品を押さえることができ、簡単に電子部品の接続と固定を行うことができる。
【００２１】
この場合、コンタクトはソケットハウジングの側壁に嵌まって該ソケットハウジングに係止される折り返し形コンタクト部材を備え、該折り返し形コンタクト部材は部品差し込み室の内壁に沿って下降する内側板部と、側壁の外壁に沿って下降する外側板部と、内側板部と外側板部との頂部を相互につなぐ折り返し部と、内側板部と外側板部との間にソケットハウジングの側壁を嵌める側壁差し込み空間を有して構成され、内側板部の下部には部品差し込み室内の底部側で傾斜して部品差し込み室内に立ち上がって電子部品の端子面に弾性的に接触する接触端子部が設けられ、内側板部の上部側には部品差し込み室内に斜め下向きに張り出して電子部品の表面を押さえるラッチ部とを備えていると、これらの構成要素を備えたコンタクトを１枚の金属板から形成することができる。
【００２２】
また、ラッチ部は内側板部の幅方向の両側に１対設けられ、これら１対のラッチ部の中間の下部に接触端子部が設けられていると、電子部品を１対のラッチ部で安定して押さえ
て電子部品の端子面を接触端子部に安定して接触させることができる。
【００２３】
また、ラッチ部はその幅で折り返し形コンタクト部材を折り返し部から外側板部を含めて下向きに途中まで切断して形成され、側壁にはラッチ部の箇所が切り欠き部となっていると、電子部品の挿入時にラッチ部を容易に外に逃がすことができ、ラッチ部があっても電子部品の挿入を容易に行わせることができる。
【００２４】
また、外側板部には係止窓が設けられ、側壁には係止窓に対応して係止突起が設けられていると、コンタクトをソケットハウジングに確実に係止することができる。
【００２５】
また、コンタクトはソケットハウジングの側壁の周囲に距離を離して複数組み付けられていると、電子部品の周壁をラッチ部で安定して押さえることができ、電子部品の複数の端子面に安定して接触端子部を接触させることができる。
【００２６】
さらに、外側板部の下部には面実装端子部が設けられていると、コンタクトを利用して電子部品用ソケットを面実装することができる。
【発明を実施するための最良の形態】
【００２７】
以下、本発明に係る電子部品用ソケットを実施する最良の形態の一例を図１乃至図４を参照して詳細に説明する。図１は本例の電子部品用ソケットとこれに接続する電子部品の関係を示す斜視図、図２は図１のＡ−Ａ線断面図、図３は図１のＢ−Ｂ線断面図、図４は本例で用いている電子部品の底面側から見た斜視図である。
【００２８】
本例の電子部品用ソケット１は、合成樹脂の如き絶縁材料よりなるソケットハウジング２と弾性を有する金属製のコンタクト３とを備えて、下面に１対の端子面４を備えた電子部品５を差し込み接続するようになっている。電子部品５としては、本例では発光ダイオードモジュールを用いている。
【００２９】
ソケットハウジング２は、電子部品５を開口部６ａから差し込める部品差し込み室６を有する有底箱状をなしている。即ち、ソケットハウジング２は、四角形の側壁６ｂの上部が開口部６ａとなっており、下部が底部６ｃで閉じられている。
【００３０】
コンタクト３は、部品差し込み室６の内壁に沿って下降して該部品差し込み室６内の底部６ｃ側で傾斜して部品差し込み室６内に立ち上がって電子部品５の端子面４に弾性的に接触する接触端子部７と、部品差し込み室６の内壁に沿って下降する部分に設けられて該部品差し込み室６内に斜め下向きに張り出して電子部品５の表面を押さえるラッチ部８とを備えている。
【００３１】
コンタクト３は、ソケットハウジング２の側壁に嵌まって該ソケットハウジング２に係止される折り返し形コンタクト部材９を備えている。該折り返し形コンタクト部材９は、部品差し込み室６の内壁に沿って下降する内側板部９ａと、側壁６ｂの外壁に沿って下降する外側板部９ｂと、内側板部９ａと外側板部９ｂとの頂部を相互につなぐ折り返し部９ｃと、内側板部９ａと外側板部９ｂとの間にソケットハウジング２の側壁６ｂを嵌める側壁差し込み空間９ｄを有して構成されている。内側板部９ａの下部には、部品差し込み室６内の底部６ｃ側で傾斜して部品差し込み室６内に立ち上がって電子部品５の端子面４に弾性的に接触する接触端子部７が設けられている。内側板部９ａの上部側には、部品差し込み室６内に斜め下向きに張り出して電子部品５の表面を押さえるラッチ部８とを備えている。外側板部９ｂには係止窓９ｆが設けられ、側壁６ｂには係止窓９ｆに対応して係止突起１０が設けられている。また外側板部９ｂには、ラッチ部８を逃がす逃がし窓９ｇが設けられている。
【００３２】
ラッチ部８は、内側板部９ａの幅方向の両側に１対設けられ、これら１対のラッチ部８の中間の下部に接触端子部７が設けられている。またラッチ部８は、その幅で折り返し形コンタクト部材９を折り返し部９ｃから外側板部９ｂを含めて下向きに途中まで切断部９ｅで切断して形成されている。側壁６ｂにはラッチ部８の箇所が切り欠き部１１となっている。
【００３３】
コンタクト３は、ソケットハウジング２の側壁６ｂの周囲に距離を離して複数組み、本例では対向した側壁６ｂの位置に２組付けられている。
【００３４】
２組の外側板部９ｂの下部には、それぞれ面実装端子部１２が設けられている。
【００３５】
このような電子部品用ソケット１は回路基板１３の上に設置され、面実装端子部１２が回路基板１３の表面の端子部に半田付け接続され、表面実装されるようになっている。
【００３６】
このような電子部品用ソケットは、ソケットハウジング２とコンタクト３とを備え、コンタクト３がラッチ部８を備えているので、部品点数が少なくなり、コストダウンが図れ、且つ小型化を図ることができる。特に、コンタクト３はソケットハウジング２の部品差し込み室６の内壁に沿って下降して該部品差し込み室６内の底部６ｃ側で傾斜して部品差し込み室６内に立ち上がって電子部品５の端子面４に弾性的に接触する接触端子部７と、部品差し込み室６の内壁に沿って下降する部分に設けられて該部品差し込み室６内に斜め下向きに張り出して電子部品５の表面を押さえるラッチ部８とを備えているので、電子部品５をソケットハウジング２の部品差し込み室６に差し込むと、電子部品５の底部の端子面４がコンタクト３の接触端子部７に接触し、電子部品５の挿入時に逃げていたラッチ部８が該電子部品５の通過で張り出して該電子部品５を押さえることができ、簡単に電子部品５の接続と固定を行うことができる。
【００３７】
また、コンタクト３はソケットハウジング２の側壁６ｂに嵌まって該ソケットハウジング２に係止される折り返し形コンタクト部材９を備え、該折り返し形コンタクト部材９は部品差し込み室６の内壁に沿って下降する内側板部９ａと、側壁６ｂの外壁に沿って下降する外側板部９ｂと、内側板部９ａと外側板部９ｂとの頂部を相互につなぐ折り返し部９ｃと、内側板部９ａと外側板部９ｂとの間にソケットハウジング２の側壁６ｂを嵌める側壁差し込み空間９ｄを有して構成され、内側板部９ａの下部には部品差し込み室６内の底部６ｃ側で傾斜して部品差し込み室６内に立ち上がって電子部品５の端子面４に弾性的に接触する接触端子部７が設けられ、内側板部９ａの上部側には部品差し込み室６内に斜め下向きに張り出して電子部品５の表面を押さえるラッチ部８とを備えているので、これらの構成要素を備えたコンタクト３を１枚の金属板から形成することができる。
【００３８】
また、ラッチ部８は内側板部９ｂの幅方向の両側に１対設けられ、これら１対のラッチ部８の中間の下部に接触端子部７が設けられているので、電子部品５を１対のラッチ部８で安定して押さえて電子部品５の端子面４を接触端子部７に安定して接触させることができる。
【００３９】
また、ラッチ部８はその幅で折り返し形コンタクト部材９を折り返し部９ｃから外側板部９ｂを含めて下向きに途中まで切断して形成され、側壁６ｂにはラッチ部８の箇所が切り欠き部１１となっているので、電子部品５の挿入時にラッチ部８を容易に外に逃がすことができ、ラッチ部８があっても電子部品５の挿入を容易に行わせることができる。
【００４０】
また、外側板部９ｂには係止窓９ｆが設けられ、側壁６ｂには係止窓９ｆに対応して係止突起１０が設けられているので、コンタクト３をソケットハウジング２に確実に係止することができる。
【００４１】
また、コンタクト３はソケットハウジング２の側壁６ｂの周囲に距離を離して複数組み付けられているので、電子部品５の周壁をラッチ部８で安定して押さえることができ、電子部品５の複数の端子面４に安定して接触端子部７を接触させることができる。
【００４２】
さらに、外側板部９ｂの下部には面実装端子部１２が設けられているので、コンタクト３を利用して電子部品用ソケット１を面実装することができる。
【００４３】
上記例では、電子部品５として発光ダイオードモジュールを用いた電子部品用ソケットについて説明したが本発明はこれに限定されるものではなく、カメラモジュール等の電子部品を用いた電子部品用ソケットにも同様に適用することができる。
【図面の簡単な説明】
【００４４】
【図１】本発明に係る電子部品用ソケットを実施する最良の形態の一例で、本例の電子部品用ソケットとこれに接続する電子部品の関係を示す斜視図である。
【図２】図１のＡ−Ａ線断面図である。
【図３】図１のＢ−Ｂ線断面図である。
【図４】本例で用いている電子部品の底面側から見た斜視図である。
【符号の説明】
【００４５】
１  電子部品用ソケット
２  ソケットハウジング
３  コンタクト
４  端子面
５  電子部品
６  部品差し込み室
６ａ  開口部
６ｂ  側壁
６ｃ  底部
７  接触端子部
８  ラッチ部
９  折り返し形コンタクト部材
９ａ  内側板部
９ｂ  側壁
６ｃ  折り返し部
９ｄ  側壁差し込み空間
９ｅ  切断部
９ｆ  係止窓
９ｇ  逃がし窓
１０  係止突起
１１  切り欠き部
１２  面実装端子部
１３  回路基板
【図１】
2007115506.tif 000003
【図２】
2007115506.tif 000004
【図３】
2007115506.tif 000005
【図４】
2007115506.tif 000006